(57)【要約】【課題】記録メディアのマウント処理中にストリームの録画を開始させ、マウント処理の完了を待つことなく、即座に記録メディアの録画可否を判定可能な録画装置を提供する。【解決手段】録画装置１０は、メディアＭを装着し、メディアＭに対してチューナ１から入力したストリームを録画する録画制御部２と、メディアＭのマウント処理が正常に終了している状態で電源がオフされたときに、メディアＭ及び／又は録画装置１０からメディア情報を取得するメディア情報取得手段９と、取得したメディア情報を記憶するメディア情報記憶部８と、次回電源がオンされマウント処理が正常に終了する前に、メディアＭへの録画指示入力が行われた場合、メディア情報記憶部８に記憶したメディア情報に基づいて、メディアＭの録画可否を判定する録画可否判定手段７とを備える。録画制御部２は、録画可否判定手段７による判定結果に基づいて、メディアＭへの録画を制御する。【選択図】図１
2010073231.tif 000002
【特許請求の範囲】
【請求項１】
録画対象となるストリームを入力する入力手段と、可搬型の記録メディアを装着し、該記録メディアに対して前記入力手段から入力したストリームを録画する録画制御手段とを備えた録画装置であって、
前記記録メディアが録画可能であることを判別するマウント処理が正常に終了している状態で電源がオフされたときに、前記記録メディア及び／又は前記録画装置からメディア情報を取得するメディア情報取得手段と、
該メディア情報取得手段で取得したメディア情報を記憶する記憶手段と、
次回電源がオンされ前記マウント処理が正常に終了する前に、前記記録メディアへの録画指示入力が行われた場合、前記記憶手段に記憶したメディア情報に基づいて、前記記録メディアの録画可否を判定する録画可否判定手段とを備え、
前記録画制御手段は、前記録画可否判定手段による判定結果に基づいて、前記記録メディアへの録画を制御することを特徴とする録画装置。
【請求項２】
請求項１に記載の録画装置において、録画対象となるストリームを一時的に記憶するための一時記憶手段を備え、
前記録画制御手段は、前記録画可否判定手段により録画可能と判定された場合、前記入力手段から入力したストリームを前記一時記憶手段に記憶し、前記マウント処理が正常に終了した後に、前記一時記憶手段に記憶したストリームを前記記録メディアに書き込むことにより、該記録メディアに対するストリームの録画を行い、前記録画可否判定手段により録画不可と判定された場合、前記入力手段から入力したストリームを前記一時記憶手段に記憶せず、前記記録メディアが録画不可である旨を通知することを特徴とする録画装置。
【請求項３】
請求項１又は２に記載の録画装置において、前記メディア情報は、前記記録メディアの有無，物理的種別，アプリケーションフォーマット，メディア保護の有無，記録済みタイトル数，記録済みチャプタ数，記録残容量，前回の読み込みに要した時間，前記メディア情報の有効性フラグを含むことを特徴とする録画装置。
【請求項４】
請求項３に記載の録画装置において、該録画装置が複数のアプリケーションフォーマットに対応しており、前記メディア情報が前記記録メディアに録画可能なアプリケーションフォーマットを含む場合、前記録画制御手段は、前記録画可否判定手段により録画可能と判定されると、前記複数のアプリケーションフォーマットの中から前記記録メディアに録画可能なアプリケーションフォーマットを選択して録画を開始することを特徴とする録画装置。
【請求項５】
録画対象となるストリームを入力する入力手段と、可搬型の記録メディアを装着し、該記録メディアに対して前記入力手段から入力したストリームを録画する録画制御手段とを備えた録画装置であって、
前記記録メディアが録画可能であることを判別するマウント処理が正常に終了している状態で電源がオフされたときに、前記記録メディアからメディア鍵を含むメディア情報を取得するメディア情報取得手段と、
該メディア情報取得手段で取得したメディア鍵を含むメディア情報を記憶する記憶手段と、
次回電源がオンされ前記マウント処理が正常に終了する前に、前記記録メディアへの録画指示入力が行われた場合、前記記憶手段に記憶したメディア鍵を用いて、前記入力手段から入力したストリームを暗号化する暗号化手段と、
該暗号化手段により暗号化した暗号化ストリームを一時的に記憶する一時記憶手段とを備え、
前記録画制御手段は、前記マウント処理が正常に終了した後に、前記一時記憶手段に記憶した暗号化ストリームを再暗号化せずに前記記録メディアに書き込むことにより、該記録メディアに対するストリームの録画を行うことを特徴とする録画装置。
【発明の詳細な説明】
【技術分野】
【０００１】
本発明は、録画装置に関し、光ディスクなどの可搬型の記録メディアに対する録画が可能な録画装置に関する。
【背景技術】
【０００２】
ＤＶＤやＢＤ（Blu-ray Disc）などの光ディスク記録メディア（以下単にディスクともいう）を使用して録画を行う録画装置では、録画装置のディスクトレイ上にディスクを載置し、ローディングを行ったときにマウントと呼ばれる確認処理が実行される。
【０００３】
このマウント処理では、録画装置に挿入されたディスクの種類の判別処理、判別したディスクの種類に応じた調整処理、ディスクからのディスク論理情報の読み出し処理、ディスク上のタイトル関連情報読み出し／確認処理などが行われる。ディスクの種類に応じた調整処理では、例えば、フォーカスサーボ、スピンサーボ、トラッキングサーボ、スレッドサーボなどのサーボ系の調整や、チルト調整、周差調整などが行われる。またディスク論理情報には、光ピックアップのレーザ光の波長などを規定するライトストラトジー情報などが含まれる。また、ディスク上のタイトル関連情報読み出し／確認処理には、フォルダ構成確認、タイトル数確認、空き容量確認処理などが含まれる。
【０００４】
ディスクのローディング時には、このマウント処理が正常に終了しないと、ディスクに対する録画を実行することができない。このマウント処理の時間は、数十秒から１分以上かかるものもあり、例えば、記録層が２層構成のＢＤなどではマウント完了までに１分半程度必要とするものもある。
【０００５】
記録メディアに対する録画制御が可能な録画装置の操作性を向上させるために、例えば、特許文献１には、メモリカードに対して情報を記録する旨の指示があった場合、ディスク装置内に記録領域を構築し、記録対象となる情報をその記録領域に記録するようにした記録装置が開示されている。これにより、ユーザはメモリカードの装着状態を気にすることがないため操作性が向上すると共に、ディスク装置内で記録情報を一元的に管理できるようにしている。
【特許文献１】特開２００６−５９０９８号公報
【発明の開示】
【発明が解決しようとする課題】
【０００６】
上記のように、録画装置でディスクに録画を行う場合、ディスクを録画装置に挿入してもマウントが正常に終了するまでは、そのディスクに対する録画を実行させることができないという問題がある。
【０００７】
これに対して、録画装置にＤＲＡＭなどの半導体メモリを備えておき、この半導体メモリに、マウント処理が正常に終了するまでの間に入力されるストリームを一時的に記憶できるようにしておけば、マウント処理の終了を待たずとも録画を開始することができるものと考えられる。
【０００８】
しかしながら、上記のような構成とした場合、通常、挿入されたディスクが録画可能であるか否か、そのディスクがどの形式（アプリケーションフォーマット）に対応しているかなどはディスクの読み込みを完了しないと判定することができない。このため、録画開始の後にディスクの読み込みが完了したときに、そのディスクが録画可能なものでないと判定されると、録画を継続できなくなる。また、ディスクの種別に応じて複数の形式での録画に対応した録画装置の場合、録画開始時に設定される形式と、ディスクに応じた録画可能な形式とが異なってしまう可能性があり、この場合も録画を継続できなくなる。
【０００９】
ユーザからすると、せっかくマウント処理の完了を待たずに録画を開始したにもかかわらず、マウント処理が完了するまでディスクの録画可否がわからないため、上記のような理由でディスクに録画できないことになる。このような場合において、録画開始後にユーザがディスクに録画できないことに気が付かなければ、ストリームの録画に失敗することになり、たとえ気が付いたとしても、録画可能なディスクに交換するか、あるいは、ディスクに録画可能な形式を確認・設定してから、再度録画を開始することになり、余計な手間がかかり、ユーザに大きな負担をかけていた。
【００１０】
また、上述のように、マウント処理の終了を待たずに録画を開始できる録画装置とした場合、マウント処理中はストリームに対してメディア鍵を用いない暗号化を施して記憶し、ディスクの読み込み処理完了後に、記憶したストリームに対してメディア鍵を用いて再暗号化を施してディスクに書き込むように構成される。従って、２回暗号化を行うためにストリームを録画する際の処理が複雑化し、信頼性を低下させているという問題があった。
【００１１】
本発明は、上述のごとき実情に鑑みてなされたものであり、可搬型の記録メディアに対して録画を行う場合に、記録メディアのマウント処理中にストリームの録画を開始させ、マウント処理の完了を待つことなく、即座に記録メディアの録画可否を判定することができる録画装置を提供すること、を目的とする。
また、可搬型の記録メディアに対して録画を行う場合に、記録メディアのマウント処理中に入力されたストリームを、再暗号化することなく、記録メディアに録画できるようにした録画装置を提供すること、を目的とする。
【課題を解決するための手段】
【００１２】
上記課題を解決するために、第１の技術手段は、録画対象となるストリームを入力する入力手段と、可搬型の記録メディアを装着し、該記録メディアに対して前記入力手段から入力したストリームを録画する録画制御手段とを備えた録画装置であって、前記記録メディアが録画可能であることを判別するマウント処理が正常に終了している状態で電源がオフされたときに、前記記録メディア及び／又は前記録画装置からメディア情報を取得するメディア情報取得手段と、該メディア情報取得手段で取得したメディア情報を記憶する記憶手段と、次回電源がオンされ前記マウント処理が正常に終了する前に、前記記録メディアへの録画指示入力が行われた場合、前記記憶手段に記憶したメディア情報に基づいて、前記記録メディアの録画可否を判定する録画可否判定手段とを備え、前記録画制御手段は、前記録画可否判定手段による判定結果に基づいて、前記記録メディアへの録画を制御することを特徴としたものである。
【００１３】
第２の技術手段は、第１の技術手段において、録画対象となるストリームを一時的に記憶するための一時記憶手段を備え、前記録画制御手段は、前記録画可否判定手段により録画可能と判定された場合、前記入力手段から入力したストリームを前記一時記憶手段に記憶し、前記マウント処理が正常に終了した後に、前記一時記憶手段に記憶したストリームを前記記録メディアに書き込むことにより、該記録メディアに対するストリームの録画を行い、前記録画可否判定手段により録画不可と判定された場合、前記入力手段から入力したストリームを前記一時記憶手段に記憶せず、前記記録メディアが録画不可である旨を通知することを特徴としたものである。
【００１４】
第３の技術手段は、第１又は第２の技術手段において、前記メディア情報は、前記記録メディアの有無，物理的種別，アプリケーションフォーマット，メディア保護の有無，記録済みタイトル数，記録済みチャプタ数，記録残容量，前回の読み込みに要した時間，前記メディア情報の有効性フラグを含むことを特徴としたものである。
【００１５】
第４の技術手段は、第３の技術手段において、該録画装置が複数のアプリケーションフォーマットに対応しており、前記メディア情報が前記記録メディアに録画可能なアプリケーションフォーマットを含む場合、前記録画制御手段は、前記録画可否判定手段により録画可能と判定されると、前記複数のアプリケーションフォーマットの中から前記記録メディアに録画可能なアプリケーションフォーマットを選択して録画を開始することを特徴としたものである。
【００１６】
第５の技術手段は、録画対象となるストリームを入力する入力手段と、可搬型の記録メディアを装着し、該記録メディアに対して前記入力手段から入力したストリームを録画する録画制御手段とを備えた録画装置であって、前記記録メディアが録画可能であることを判別するマウント処理が正常に終了している状態で電源がオフされたときに、前記記録メディアからメディア鍵を含むメディア情報を取得するメディア情報取得手段と、該メディア情報取得手段で取得したメディア鍵を含むメディア情報を記憶する記憶手段と、次回電源がオンされ前記マウント処理が正常に終了する前に、前記記録メディアへの録画指示入力が行われた場合、前記記憶手段に記憶したメディア鍵を用いて、前記入力手段から入力したストリームを暗号化する暗号化手段と、該暗号化手段により暗号化した暗号化ストリームを一時的に記憶する一時記憶手段とを備え、前記録画制御手段は、前記マウント処理が正常に終了した後に、前記一時記憶手段に記憶した暗号化ストリームを再暗号化せずに前記記録メディアに書き込むことにより、該記録メディアに対するストリームの録画を行うことを特徴としたものである。
【発明の効果】
【００１７】
本発明によれば、可搬型の記録メディアに対して録画を行う場合に、記録メディアのマウント処理中にストリームの録画を開始させ、マウント処理の完了を待つことなく、即座に記録メディアの録画可否を判定することができる。
また、可搬型の記録メディアに対して録画を行う場合に、記録メディアのマウント処理中に入力されたストリームを、再暗号化することなく、記録メディアに録画することができる。
【発明を実施するための最良の形態】
【００１８】
以下、添付図面を参照しながら、本発明に係る録画装置の好適な実施の形態について説明する。
【００１９】
（第１の実施形態）
図１は、本発明の第１の実施形態に係る録画装置の構成例を示すブロック図で、図中、１０は録画装置を示す。録画装置１０は、可搬型の記録媒体としてメディアＭが使用可能であるが、メディアＭとしては、ＤＶＤやＢＤなどの録画可能なディスク媒体が適用可能である。
【００２０】
この録画装置１０は、放送信号を受信して選局し、ストリームを出力するチューナ１と、チューナ１から出力されたストリームを解析して暗号化を施すストリーム解析・暗号化手段３と、ストリーム解析・暗号化手段３で暗号化されたストリームを一時的に記録するための一時記憶手段として蓄積部５と、蓄積部５から出力されたストリームに対して、メディアＭ毎にその規格に対応した暗号化を再度施し、そのストリームをメディアＭへ書き込むストリーム再暗号化・書込手段６と、メディアＭのマウント処理が正常に完了したことを判定する遅延判定部４と、ストリーム解析・暗号化手段３，遅延判定部４，及びストリーム再暗号化・書込手段６を含む録画機能を制御する録画制御手段として録画制御部２とを備えている。
【００２１】
録画制御部２，ストリーム解析・暗号化手段３，遅延判定部４，ストリーム再暗号化・書込手段６は、録画装置１０が備えるＣＰＵ等の制御手段により、実現される機能部である。ＣＰＵ等の制御手段は、上記各部及び各手段を実現するプログラムをメモリ等の記憶手段から読み出して実行することで、本発明に係る実施形態の処理を可能とする。
【００２２】
また、ストリーム解析・暗号化手段３に入力させるストリームは、チューナ１により選局したストリームのみならず、外部機器やネットワーク経由で入力したストリームを適用することもできる。チューナ１を含めたストリームを入力する部分が本発明の入力手段に相当する。また、蓄積部５としては、一時記憶手段としてデータの読み書きが高速なＤＲＡＭ(Dynamic Random Access Memory)やフラッシュメモリなどを適用することができる。
【００２３】
ストリーム解析・暗号化手段３では、蓄積部５に記憶させるストリームに暗号化処理を施す。暗号化の方法は特に限定されるものではなく、公知の手法を用いることができる。ここでの暗号化処理は、蓄積部５の一時記憶データのセキュリティを維持するために施すものであり、暗号化処理を行わずに蓄積部５に記憶させる構成であっても、本発明の録画装置１０の一実施形態として機能させることができる。
【００２４】
また、ストリーム再暗号化・書込手段６においても、蓄積部５に記憶したストリームをメディアＭの規格（ＤＶＤやＢＤなどの規格）に応じた暗号化を施してメディアＭに記憶しているが、録画環境や録画条件、守るべき規格等に応じて暗号化を施さずにメディアＭに録画する形態をとってもよい。
【００２５】
図１に示す録画装置１０の動作例について、蓄積部５としてＤＲＡＭを適用した場合を例に説明する。チューナ１で選局され出力されたストリームは、ストリーム解析・暗号化手段３に入力される。メディアＭに直接録画できない状態、例えば、メディアＭがマウント処理中であったり、あるいは、メディアＭ自体が録画装置１０に装着されていない状態である場合には、ストリーム解析・暗号化手段３は、入力したストリームを解析し、暗号化してＤＲＡＭ５に記録する。
【００２６】
録画装置１０にメディアＭを装着すると、録画装置１０ではマウント処理を自動的に開始する。ここでは、例えば、メディアＭを載置するディスクトレイにメディアＭを載置し、トレイをローディングすることで録画装置１０に対するメディアＭの装着が行われる。マウント処理の内容は、前述したように、録画装置に挿入されたディスクの種類の判別処理、判別したディスクの種類に応じた調整処理、ディスクからのディスク論理情報の読み出し処理、ディスク上のタイトル関連情報読み出し／確認処理などが行われる。ディスクの種類に応じた調整処理では、例えば、フォーカスサーボ、スピンサーボ、トラッキングサーボ、スレッドサーボなどのサーボ系の調整や、チルト調整、周差調整などが行われる。またディスク論理情報には、光ピックアップのレーザ光の波長などを規定するライトストラトジー情報などが含まれる。また、ディスク上のタイトル関連情報読み出し／確認処理には、フォルダ構成確認、タイトル数確認、空き容量確認処理などが含まれる。
【００２７】
ここでは、メディアＭが録画装置１０に装着され、そのマウント処理中にユーザによる録画開始の指示入力が行われた場合、ストリーム解析・暗号化手段３により、ＤＲＡＭ５に対する暗号化ストリームの録画を開始される。このとき、メディアＭ自体はマウント処理中であり、まだ、録画の準備ができていないが、録画開始の指示に応じて入力ストリームの録画を開始し、蓄積部５に蓄積していく。
【００２８】
遅延判定部４は、メディアＭのマウント処理が正常に完了したか否かを監視し、メディアＭのマウント処理が正常に完了したものと判定した場合、ストリーム再暗号化・書込手段６によって、ＤＲＡＭ５に記憶されているストリームを読み出し、再暗号化してメディア１０に書き込んでいく。またこのときにも、新たに入力するストリームはＤＲＡＭ５に記憶され続けるが、ＤＲＡＭ５からメディアＭへの書き込みの方が速いため、やがてＤＲＡＭ５に記憶されているストリームがなくなり、その後は、ストリーム解析・暗号化手段３から出力されたストリームは、ＤＲＡＭ５に一時記憶されることなく、ストリーム再暗号化・書込手段６で再暗号化されてメディアＭに記録される。
【００２９】
また、メディアＭが装着されていない状態で録画を開始する場合、録画開始指示が入力されると、上記と同様に、ストリーム解析・暗号化手段３により、ＤＲＡＭ５に対する暗号化ストリームの録画が開始される。そしてその後メディアＭが装着され、マウント処理が正常に完了した段階で、ストリーム再暗号化・書込手段６によってＤＲＡＭ５に記憶されているストリームを読み出し、再暗号化してメディアＭに書き込む。
【００３０】
ストリーム再暗号化・書込手段６では、ＤＲＡＭ５から読み出したストリーム、もしくはストリーム解析・暗号化手段３から出力されたストリームを再暗号化するときに、ワークエリアとして使用する他のＤＲＡＭ（あるいは他の種類のメモリ）を接続もしくは内蔵することができる。
【００３１】
上記のように構成することで、ユーザは記録メディアのマウント処理の完了を待つことなく、録画を開始させることができるが、前述したように、挿入されたディスクが録画可能であるか否か、そのディスクがどの形式（アプリケーションフォーマット）に対応しているかなどはディスクの読み込み（マウント処理）が完了しないと判定することができないという問題がある。
【００３２】
本発明に係る録画装置１０によれば、上記のような問題を解決することができる。すなわち、本発明の主たる特徴部分は、可搬型の記録メディアに対して録画を行う場合に、記録メディアのマウント処理中にストリームの録画を開始させ、マウント処理の完了を待つことなく、即座に記録メディアの録画可否を判定することにある。このための構成として、録画装置１０は、メディアＭが録画可能であることを判別するマウント処理が正常に終了している状態で電源がオフされたときに、メディアＭ及び／又は録画装置１０からメディア情報（後述の図２を参照）を取得するメディア情報取得手段９と、メディア情報取得手段９で取得したメディア情報を記憶する記憶手段に相当するメディア情報記憶部８と、次回電源がオンされマウント処理が正常に終了する前に、メディアＭへの録画指示入力が行われた場合、メディア情報記憶部８に記憶したメディア情報に基づいて、メディアＭの録画可否を判定する録画可否判定手段７とを備える。録画制御部２は、録画可否判定手段７による判定結果に基づいて、メディアＭへの録画を制御する。
【００３３】
ここで、メディアＭは録画装置１０に装着されたままで電源のオン／オフ（主電電のオン／オフではない）が実行される。メディアＭとメディア情報とは一対一に対応しており、録画装置１０に装着された１つのメディアに対して１つのメディア情報が取得・記憶される。
【００３４】
上記において、録画装置１０の電源がオフされると、メディア情報取得手段９によりメディアＭのメディア情報がメディア情報記憶部８に記憶される。その後、（メディアＭが装着されたまま）再び電源がオンされ、メディアＭのマウント処理が正常に終了するまでの間に録画指示された場合には、録画制御部２は、録画可否判定手段７に対して、録画可否判定要求を行う。録画可否判定手段７は、録画制御部２からの録画可否判定要求を受けて、メディア情報記憶部８に記憶されたメディア情報を読み出して、読み出したメディア情報に基づいてメディアＭの録画可否を判定し、その録画可否判定結果を録画制御部２に通知する。なお、メディア情報記憶部８は、例えば、不揮発性メモリで構成され、録画可否判定手段７によりアクセス可能とされる。
【００３５】
録画制御部２は、録画可否判定手段７からの録画可否判定結果によりメディアＭが録画可能なディスクと判定された場合には、入力したストリームを蓄積部５に記憶し、マウント処理が正常に終了した後に、蓄積部５に記憶したストリームをメディアＭに書き込むことにより、メディアＭに対するストリームの録画を行う。一方、録画可否判定手段７からの録画可否判定結果によりメディアＭが録画可能なディスクでないと判定された場合には、入力したストリームを蓄積部５に記憶せず、メディアＭに録画できない旨の表示等を行いユーザに通知する。
【００３６】
なお、録画装置１０が複数のアプリケーションフォーマットに対応しており、メディア情報がメディアＭに録画可能なアプリケーションフォーマットを含む場合、録画制御部２は、録画可否判定手段７により録画可能と判定されると、複数のアプリケーションフォーマットの中からメディアＭに録画可能なアプリケーションフォーマットを選択して録画を開始する。メディアＭで対応しているアプリケーションフォーマットは、メディア情報記憶部８に記憶されたメディア情報から取得することができる。
【００３７】
図２は、メディア情報記憶部８に記憶するメディア情報及びこれによる録画可否の判定方法の一例を説明するための図である。メディアに係るメディア情報としては、メディアの着脱状態（メディアの有無），物理的種別，アプリケーションフォーマット，メディア保護の有無，記録済みタイトル数，記録済みチャプタ数，記録残容量，前回の読み込みに要した時間，メディア情報の有効性フラグを含むものとする。メディア情報取得手段９は、前述したように、メディアＭが読み込み済みの状態で電源オフされたときに、上記のメディア情報をメディアＭあるいは録画装置１０から取得してメディア情報記憶部８に記憶する。
【００３８】
図２において、メディアの有無を示す情報としては、電源をオフしたときに録画装置１０からメディアＭが排出されていれば、“メディア無”を示す情報がメディア情報記憶部８に記憶され、一方、電源をオフしたときにメディアＭが装着されていれば、“メディア有”を示す情報がメディア情報記憶部８に記憶される。次回電源がオンされ録画指示されたときに、メディア情報記憶部８から“メディア無”を示す情報が読み出された場合、録画可否判定手段７は、メディアＭが未装着であると判断して、録画不可と判定する。なお、メディアＭの有無は、電源オフのときの着脱状態のみならず、例えば、録画開始時にメディアＭが装着されているか否かを検出して判定するようにしてもよい。
【００３９】
また、メディアの物理的種別としては、ＤＶＤ−ＲＯＭ，ＤＶＤ−Ｒ／ＲＷ，ＢＤ−ＲＯＭ，ＢＤ−Ｒ／ＲＥなど、メディアＭのディスク種別がメディア情報記憶部８に記憶される。次回電源がオンされ録画指示されたときに、メディア情報記憶部８から“ＤＶＤ−ＲＯＭ”や“ＢＤ−ＲＯＭ”など再生専用のディスク種別が読み出された場合、録画可否判定手段７は、メディアＭが再生専用ディスクであると判断して、メディアＭを録画不可と判定する。
【００４０】
また、メディアに適用可能なアプリケーションフォーマットとしては、ＤＶＤ−Ｖｉｄｅｏ，ＤＶＤ−ＶＲ，ＢＤ−ＭＶ，ＢＤ−ＡＶ，ＡＶＣＲＥＣなど、メディアＭに録画可能なアプリケーションフォーマットがメディア情報記憶部８に記憶される。次回電源オンされ録画指示されたときに、メディア情報記憶部８から“ＤＶＤ−Ｖｉｄｅｏ”や“ＢＤ−ＭＶ”などのＲＯＭフォーマットが読み出された場合、録画可否判定手段７は、メディアＭのアプリケーションフォーマットが録画対応ではないと判断して、メディアＭを録画不可と判定する。
【００４１】
また、メディア保護の有無を示す情報としては、メディアＭが保護（書き込み禁止）されていれば、“保護有り”を示す情報がメディア情報記憶部８に記憶され、一方、メディアＭが保護されていなければ、“保護無し”を示す情報がメディア情報記憶部８に記憶される。次回電源がオンされ録画指示されたときに、メディア情報記憶部８から“保護有り”を示す情報が読み出された場合、録画可否判定手段７は、メディアＭが書き込み禁止状態であると判断して、メディアＭを録画不可と判定する。
【００４２】
また、メディアの記録済みタイトル数としては、電源がオフされた時点でメディアＭに記録されているタイトル数がメディア情報記憶部８に記憶される。次回電源がオンされ録画指示されたときに、メディア情報記憶部８から“記録済みタイトル数”が読み出された場合、録画可否判定手段７は、この“記録済みタイトル数”が所定値（規格上で定められる上限値）を上回っているか否かを判断し、上回っている場合に、メディアＭを録画不可と判定する。
【００４３】
また、メディアの記録済みチャプタ数としては、電源がオフされた時点でメディアＭに記録されているチャプタ数がメディア情報記憶部８に記憶される。次回電源がオンされ録画指示されたときに、メディア情報記憶部８から“記録済みチャプタ数”が読み出された場合、録画可否判定手段７は、この“記録済みチャプタ数”が所定値（規格上で定められる上限値）を上回っているか否かを判断し、上回っている場合に、メディアＭを録画不可と判定する。
【００４４】
また、メディアの記録残容量としては、電源がオフされた時点でメディアＭの記録残容量がメディア情報記憶部８に記憶される。次回電源がオンされ録画指示されたときに、メディア情報記憶部８から“記録残容量”が読み出された場合、録画可否判定手段７は、この“記録残容量”が所定値を上回っているか否かを判定し、上回っている場合に、メディアＭを録画不可と判定する。
【００４５】
また、メディアの前回（直近）の読み込みに要した時間（前回読み込み時間）としては、電源がオフされた時点でメディアＭの前回読み込み時間がメディア情報記憶部８に記憶される。次回電源がオンされ録画指示されたときに、メディア情報記憶部８から“前回読み込み時間”が読み出された場合、録画可否判定手段７は、この“前回読み込み時間”が所定値を上回っているか否かを判定し、上回っている場合に、メディアＭを録画不可と判定する。これは、メディアＭの読み込みに要する時間が長くなれば、それだけ蓄積部５に記憶されるストリームの量が増えることになり、あまり長いと蓄積部５にストリームを記憶し切れなくなり、録画に失敗することになる。このため、“前回読み込み時間”が所定値を上回っている場合には、メディアＭを録画不可としている。なお、この前回読み込み時間は録画装置１０側で管理される情報である。
【００４６】
また、メディア情報の有効性フラグとしては、メディア情報が有効であれば、有効性フラグが“有効”の状態でメディア情報記憶部８に記憶され、一方、メディア情報が無効であれば、有効性フラグが“無効”の状態でメディア情報記憶部８に記憶される。次回電源がオンされ録画指示されたときに、メディア情報記憶部８から“無効”の有効性フラグが読み出された場合、録画可否判定手段７は、メディア情報が無効であると判断して、メディアＭを録画不可と判定する。なお、この有効性フラグは録画装置１０側で管理される情報である。
【００４７】
ここで、メディア情報の有効性フラグについて具体的に説明する。メディアＭの状態によっては、メディアＭの読み込みが完了するまでに録画開始できない場合がある。例えば、録画や編集など、メディアＭへの書き込みを伴う処理を行った後、メディアＭへの管理情報の書き込みが完了していない状態で、物理的に電源が遮断された場合には、次回電源オンしてメディアＭを読み込んだ後に修復処理を行い、管理情報を書き込む処理を行っている。この際、修復処理にかかる時間が予測できないことや、修復処理の結果、録画できないメディアとなる可能性があるため、このような場合には、メディアＭの読み込み完了前に録画を開始することができない。ここで、管理情報とはメディアＭに対して読み書き（リード／ライト）される情報であり、例えば、録画データの再生に必要な再生位置などの情報を含むものである。
【００４８】
上記の問題に対処するために、メディア情報の有効性を示す有効性フラグをメディア情報記憶部８に記憶する。すなわち、録画装置１０の電源オンでメディア情報記憶部８からメディア情報を読み出したら、メディア情報記憶部８の有効性フラグに“無効“を書き込む。そして、電源オフするときに、メディアＭへの管理情報の書き込みが完了した時点で、あるいは、メディアＭへの管理情報の書き込みが不要な場合には、録画可否に関する情報（すなわち、図２に示すメディアの有無，物理的種別，アプリケーションフォーマット，メディア保護の有無，記録済みタイトル数，記録済みチャプタ数，記録残容量，前回の読み込みに要した時間など）を記憶し、同時に有効性フラグに”有効“を書き込む。これにより、正常に電源オフされ管理情報に不整合がない場合のみ、有効性フラグに”有効“が書き込まれるため、次回電源オン時に、有効性フラグが”有効“の状態でメディア情報記憶部８から読み出される。
【００４９】
図３は、本発明の録画装置１０による録画可否判定方法の一例を説明するためのフロー図である。なお、本例は図１に示した装置構成に基づいて説明する。まず、録画装置１０の電源がオンされ、マウント処理が正常に終了するまでの間に録画指示されると、録画制御部２は、録画可否判定手段７に対して、録画可否判定要求を行う。録画可否判定手段７は、録画制御部２からの録画可否判定要求を受けて、メディア情報記憶部８に記憶されたメディア情報を読み出し（ステップＳ１）、読み出したメディア情報に基づいてメディアＭの録画可否を判定する。このメディア情報には、前述の図２に示したように、メディアの着脱状態（メディアの有無），物理的種別，アプリケーションフォーマット，メディア保護の有無，記録済みタイトル数，記録済みチャプタ数，記録残容量，前回の読み込みに要した時間，メディア情報の有効性フラグを含むものとする。
【００５０】
メディア情報に基づいてメディアＭの録画可否を判定する際に、録画可否判定手段７は、メディア情報の有効性フラグが“有効”であるか否かを判定し（ステップＳ２）、有効性フラグが“有効”でないと判定した場合（ＮＯの場合）、メディアＭに対して録画不可能と判定する（ステップＳ１２）。また、ステップＳ２において、有効性フラグが“有効”であると判定した場合（ＹＥＳの場合）、メディアＭが存在するか否か（装着されているか否か）を判定する（ステップＳ３）。
【００５１】
次に録画可否判定手段７は、ステップＳ３において、メディアＭが存在しないと判定した場合（ＮＯの場合）、ステップＳ１２に移行して録画不可能と判定する。また、メディアＭが存在すると判定した場合（ＹＥＳの場合）、メディアＭの物理的種別が録画可能なものか否かを判定する（ステップＳ４）。
【００５２】
次に録画可否判定手段７は、ステップＳ４において、メディアＭの物理的種別が録画可能なものではないと判定した場合（ＮＯの場合）、ステップＳ１２に移行して録画不可能と判定する。また、メディアＭの物理的種別が録画可能なものと判定した場合（ＹＥＳの場合）、メディアＭのアプリケーションフォーマットが録画可能なものか否かを判定する（ステップＳ５）。
【００５３】
次に録画可否判定手段７は、ステップＳ５において、メディアＭのアプリケーションフォーマットが録画可能なものではないと判定した場合（ＮＯの場合）、ステップＳ１２に移行して録画不可能と判定する。また、メディアＭのアプリケーションフォーマットが録画可能なものと判定した場合（ＹＥＳの場合）、メディアＭのディスク保護の有無を判定する（ステップＳ６）。
【００５４】
次に録画可否判定手段７は、ステップＳ６において、メディアＭがディスク保護されていると判定した場合（ＮＯの場合）、ステップＳ１２に移行して録画不可能と判定する。また、メディアＭがディスク保護されていないと判定した場合（ＹＥＳの場合）、メディアＭの記録済みタイトル数が規格の上限に達していないか否かを判定する（ステップＳ７）。なお、タイトル数の規格上限値はアプリケーションフォーマットに応じて異なる。
【００５５】
次に録画可否判定手段７は、ステップＳ７において、メディアＭの記録済みタイトル数が規格の上限に達していると判定した場合（ＮＯの場合）、ステップＳ１２に移行して録画不可能と判定する。また、メディアＭの記録済みタイトル数が規格の上限に達していないと判定した場合（ＹＥＳの場合）、メディアＭの記録済みチャプタ数が規格の上限に達していないか否かを判定する（ステップＳ８）。なお、チャプタ数の規格上限値はアプリケーションフォーマットに応じて異なる。
【００５６】
次に録画可否判定手段７は、ステップＳ８において、メディアＭの記録済みチャプタ数が規格の上限に達していると判定した場合（ＮＯの場合）、ステップＳ１２に移行して録画不可能と判定する。また、メディアＭの記録済みチャプタ数が規格の上限に達していないと判定した場合（ＹＥＳの場合）、メディアＭの記録残容量が所定値以上か否かを判定する（ステップＳ９）。
【００５７】
次に録画可否判定手段７は、ステップＳ９において、メディアＭの記録残容量が所定値未満と判定した場合（ＮＯの場合）、ステップＳ１２に移行して録画不可能と判定する。また、メディアＭの記録残容量が所定値以上と判定した場合（ＹＥＳの場合）、メディアＭの前回読み込みにかかった時間が所定値以下か否かを判定する（ステップＳ１０）。
【００５８】
次に録画可否判定手段７は、ステップＳ１０において、メディアＭの前回読み込みにかかった時間が所定値より長いと判定した場合（ＮＯの場合）、ステップＳ１２に移行して録画不可能と判定する。また、メディアＭの前回読み込みにかかった時間が所定値以下と判定した場合（ＹＥＳの場合）、メディアＭに対して録画可能と判定する（ステップＳ１１）。
【００５９】
図３において、録画可否判定処理の順序は、上記フローに限定されるものではないが、記録済みタイトル数と記録済みチャプタ数の判定処理（ステップＳ７，Ｓ８）については、必ずアプリケーションフォーマットの判定処理（ステップＳ５）の後に行う必要がある。これは、アプリケーションフォーマットに応じてタイトル数及びチャプタ数の規格の上限値が異なるためであり、アプリケーションフォーマットがわかれば、規格上限値を決定することができる。このため、アプリケーションフォーマットを取得してからタイトル数及びチャプタ数に対して上記の判定処理を行うようにしている。
【００６０】
このように、本実施形態によれば、録画不可の記録メディアが挿入された状態で、マウント処理完了前に録画開始が指示された場合に、記録メディアに録画できない旨の表示等により即座にユーザに通知することができる。
また、録画装置が複数の形式（アプリケーションフォーマット）に対応している場合、挿入されている記録メディアに応じた形式で自動的に録画を開始することができる。
また、マウント処理完了前に記録メディアの録画可否がわかるため、録画不可の記録メディアに対して無駄な録画動作をしなくてすみ、マウント処理完了前にストリームを一時的に記憶させるメモリの使用頻度を低下させて寿命を延ばすことができる。また、録画装置において無駄な録画動作を行わずにすむため、消費電力の低減にも繋がる。
【００６１】
（第２の実施形態）
図４は、本発明の第２の実施形態に係る録画装置１０の構成例を示すブロック図である。本実施形態の録画装置１０は、チューナ１、録画制御部２、ストリーム解析・暗号化手段３、遅延判定部４、蓄積部５、ストリーム書込部６′、録画可否判定手段７、メディア情報記憶部８、及びメディア情報取得手段９を備える。本実施形態においては、第１の実施形態におけるストリーム再暗号化・書込手段６の代わりにストリーム書込手段６′を備え、これ以外の部分については第１の実施形態と同様とする。
【００６２】
第１の実施形態で説明したように、録画装置１０は、ストリームを暗号化してメディアＭに記録するために、メディアＭの読み込み処理中はストリームに対してメディア鍵を用いない暗号化を施して蓄積部５に記憶し、メディアＭの読み込み処理完了後に、蓄積部５のストリームに対してメディア鍵を用いて再暗号化を施してメディアＭに書き込んでいた。従って、２回暗号化を行うためにストリームを録画する際の処理が複雑化し、信頼性を低下させていた。
【００６３】
本実施形態では、上記のような課題を解決するために、可搬型の記録メディアに対して録画を行う場合に、記録メディアのマウント処理中に入力されたストリームを、再暗号化することなく、記録メディアに録画できるようにする。具体的には、メディア情報取得手段９が、メディアＭのマウント処理が正常に終了している状態で電源がオフされたときに、メディアＭ及び／又は録画装置１０からメディア情報（前述の図２を参照）を取得する際に、メディアＭからメディア鍵を取得し、これをメディア情報記憶部８に記憶しておく。
【００６４】
そして、次回電源がオンされマウント処理が正常に終了する前に、メディアＭへの録画指示入力が行われた場合、ストリーム解析・暗号化手段３（暗号化手段に相当）は、メディア情報記憶部８からメディアＭのメディア鍵を読み出して、このメディア鍵を用いてストリームを暗号化して蓄積部５（一時記憶手段に相当）に記憶する。そして、マウント処理が正常に終了すると、ストリーム書込手段６′は、蓄積部５から暗号化済みストリームを読み出して、この暗号化済みストリームを再暗号化することなく、メディアＭに書き込む。このように、予めメディア鍵を記憶しておくことで、マウント処理中にストリームを蓄積部５に記憶する段階で、このストリームをメディア鍵で暗号化することができる。このため、蓄積部５に記憶したストリームをメディアＭに記録する段階では、メディア鍵による再暗号化を行う必要がなく、ストリームを転送するだけでよくなる。
【００６５】
本実施形態によれば、暗号化処理を２回行う必要がないため、ストリームを録画する際の処理を簡素化し、信頼性の向上を図ることができる。
【図面の簡単な説明】
【００６６】
【図１】本発明の第１の実施形態に係る録画装置の構成例を示すブロック図である。
【図２】メディア情報記憶部に記憶するメディア情報及びこれによる録画可否の判定方法の一例を説明するための図である。
【図３】本発明の録画装置による録画可否判定方法の一例を説明するためのフロー図である。
【図４】本発明の第２の実施形態に係る録画装置の構成例を示すブロック図である。
【符号の説明】
【００６７】
１…チューナ、２…録画制御部、３…ストリーム解析・暗号化手段、４…遅延判定部、５…蓄積部、６…ストリーム再暗号化・書込手段、６′…ストリーム書込手段、７…録画可否判定手段、８…メディア情報蓄積部、９…メディア情報取得手段、１０…録画装置。
【図１】
2010073231.tif 000003
【図２】
2010073231.tif 000004
【図３】
2010073231.tif 000005
【図４】
2010073231.tif 000006